(57)【要約】【課題】  プロジェクタにおいて、スクリーンと垂直方向のみに移動可能するためには、案内溝を設けたベース基板が必要となり、装置が大型化していた。【解決手段】  スクリーン３に対して垂直移動を容易に行えるキャスター５を有するキャスター付プロジェクタ１において、前記キャスター５は、貫通孔を有し、プロジェクタ本体の底面に上下方向に摺動自在に取り付けられた支持部材４１と、円筒形の形状を有し、円周方向が設置面となりスクリーンと垂直方向に転がることが可能に向きで前記支持部材に取り付けられている車輪４４と、前記指示部材の周囲に取り付けられた弾性部材４５と、棒状の形状を有し、一端はプロジェクタ本体に固定され、前記指示部材の貫通孔に挿入されて取り付けられ、プロジェクタを設置したときにその自重により、他端が前記車輪の設置面を押圧することにより、前記車輪の転がりを停止させるストッパー４５とを具備することにより構成される。【選択図】      図１
2008250243.tif 000002
【特許請求の範囲】
【請求項１】
スクリーンに対して垂直移動を容易に行えるキャスターを有するキャスター付プロジェ
クタにおいて、
前記キャスターは、
貫通孔を有し、プロジェクタ本体の底面に上下方向に摺動自在に取り付けられた支持部材
と、
円筒形の形状を有し、円周方向が設置面となりスクリーンと垂直方向に転がることが可能
に向きで前記支持部材に取り付けられている車輪と、
前記指示部材の周囲に取り付けられた弾性部材と、
棒状の形状を有し、一端はプロジェクタ本体に固定され、前記指示部材の貫通孔に挿入さ
れて取り付けられ、プロジェクタを設置したときにその自重により、他端が前記車輪の設
置面を押圧することにより、前記車輪の転がりを停止させるストッパーと
を具備することを特徴とするキャスター付プロジェクタ。
【請求項２】
前記車輪は机上を滑らない材質／形状を有し、前記ストッパーは車輪を止め易い材質、
形状を有することを特徴とする請求項１記載のキャスター付プロジェクタ。
【発明の詳細な説明】
【技術分野】
【０００１】
本発明は、机の上等に設置した状態で移動が可能なキャスター付きプロジェクタに関す
る。
【背景技術】
【０００２】
従来のズーム機能を持たない単焦点レンズを装備するプロジェクタでは、プロジェクタ本
体をスクリーンに対して垂直に移動させることにより、投影サイズの調整する必要がある
。しかし、プロジェクタは、通常３〜５ｋｇの重量があり、スクリーンに対して垂直に移
動させることが容易ではない。
【０００３】
このため、装置本体の投射方向のみに案内方向を限定した案内溝をベース基板に設けて
、投射方向のみの移動を可能としたプロジェクタ装置について提案されている（例えば、
特許文献１）。
【特許文献１】特開２００４−２９３５６公報
【発明の開示】
【発明が解決しようとする課題】
【０００４】
しかしながら、従来の構成では、案内溝を設けたベース基板が必要となるため、装置が
大型化するという問題点があった。
本発明は、上記事情によりなされたもので、その目的は、装置を大型化することなく、
スクリーンに対して垂直方向に移動が可能なプロジェクタを提供することを目的とする。
【課題を解決するための手段】
【０００５】
上記目的を達成するために本発明は、スクリーンに対して垂直移動を容易に行えるキャ
スターを有するキャスター付プロジェクタにおいて、前記キャスターは、貫通孔を有し、
プロジェクタ本体の底面に上下方向に摺動自在に取り付けられた支持部材と、円筒形の形
状を有し、円周方向が設置面となりスクリーンと垂直方向に転がることが可能に向きで前
記支持部材に取り付けられている車輪と、前記指示部材の周囲に取り付けられた弾性部材
と、棒状の形状を有し、一端はプロジェクタ本体に固定され、前記指示部材の貫通孔に挿
入されて取り付けられ、プロジェクタを設置したときにその自重により、他端が前記車輪
の設置面を押圧することにより、前記車輪の転がりを停止させるストッパーとを具備する
ことを特徴とする。
【０００６】
このような構成を有することにより、スクリーンに対して垂直方向の移動が行えるよう
になる。
【発明の効果】
【０００７】
以上説明したように、本発明では、キャスターの車輪がスクリーンと垂直方向に回転が
可能なようと取り付けるという構成をとるため、プロジェクタとスクリーンとの投影角度
を変えずに垂直移動が行える。
【発明を実施するための最良の形態】
【０００８】
以下、図面を参照して本発明の実施の形態を詳細に説明する。
【実施例１】
【０００９】
本発明を、プロジェクタに適用した例を示す。
図１は、プロジェクタ本体１からの照射光をスクリーン３に照射して表示を行う時の構成
を示す図である。
図１において、プロジェクタ本体１の投影レンズ２からの照射光をスクリーン３に照射す
ることにより、表示を行う。このとき、ズーム機能を持たない単焦点レンズを装備するプ
ロジェクタでは、プロジェクタ本体１をスクリーンに対して垂直に移動させることにより
、投影サイズの調整する必要がある。また、ズーム機能を有するプロジェクタにおいても
、ズームの調整範囲が狭い場合は、プロジェクタの設置位置を移動して、投影サイズの調
整を行う必要がある。
【００１０】
しかし、プロジェクタは、通常３〜５ｋｇの重量があり、スクリーンに対して垂直に移動
させることが容易ではない。
図２はプロジェクタ本体１の底面を示す図である。
このため、プロジェクタ本体１の底面には、図２に示すように、キャスター４を装備し、
移動を容易にできるようになっている。
図３及び図４は、このキャスター４の構成例である。
図３は固定時のキャスター部４の状況を示す図である。
４１は、キャスター部４の支持部材である。支持部材４１は、内部に貫通孔が設けられ、
更に上方に押さえ部４２を有している。そしてプロジェクタ本体１の底面１１に内部側か
ら挿入することにより取り付けられ、上下方向に摺動が可能となっている。
【００１１】
また、支持部材の下方にアーム４３が設けられ、このアーム４３の先端に車輪４４が回動
自在に取り付けられている。
車輪４４は、円筒形の形状を有し、円周方向が接地面となって転がることにようになって
いる。なお、車輪４４の接地面は机上を滑らない材質／形状となっている。ここで、車輪
４４の転がる方向は、スクリーンに対して垂直となる方向に固定されている。
【００１２】
また、ストッパー４５は、棒状の形状を有し、プロジェクタ本体の底面１１に固定されて
いる。そして、支持部材４１の貫通孔に挿入されている。また、ストッパー４４下方の端
部は、車輪４３を押圧することで、車輪４３を止めるため、摩擦係数の大きい材質／形状
とすることが望ましい。
【００１３】
４６は、例えばスプリング等で構成される弾性部材４６である。弾性部材４６は、支持
部材４１を取り囲むように設けられ、上端はプロジェクタ本体の底面１１に押圧され、下
端は支持部材４１とアーム部４３の接合部に押圧される。
【００１４】
次に、キャスター部４の動作について説明する。
まず、プロジェクタ設置時（机上の置いた時）は、図３に示すように、キャスター部４に
プロジェクタ本体１の自重がかかる。この時、ストッパー４５は、プロジェクタ本体の底
面１１に固定されているため、プロジェクタ本体の底面と一緒に、下方に押し下げられる
。
【００１５】
一方、支持部材４１は、プロジェクタ本体の底面１１に固定されておらず、上下方向に摺
動が可能であるため、プロジェクタの自重がかかることにより、相対的にプロジェクタ本
体の底面１１から離れた上方に押し上げられる。
【００１６】
このため、支持部材４１にアーム４３を介して取り付けられている車輪４４が、ストッパ
ー４５と接触するようになり、ストッパー４５が車輪４４の接地面を押圧するため、車輪
４４の転がりを停止させることができる。
【００１７】
また、プロジェクタ本体１を車輪４３が転がる方向（スクリーン面に対して垂直方向）に
動かそうとするときは、図４に示すように、プロジェクタ本体１を僅かに持ち上げた場合
でも、弾性部材（スプリング）４５が伸びる事で、ストッパー４５と車輪４４の接触が解
除され、接地面との車輪４３の接地を保ったまま、スクリーン面に対して垂直方向に移動
が可能となる。
【００１８】
また、車輪４３の転がる向きは、スクリーン３に対して垂直方向となるように固定されて
いるため、プロジェクタ本体１は、垂直方向に移動できるが、それ以外の方向には移動し
にくいため、スクリーン面に対して垂直方向に移動可能となる。
【００１９】
以上により、本キャスター機能は、プロジェクタ本体１とスクリーン３との投影角度を変
えずに垂直移動が行える為、レンズズームと同じ効果を持たせることができる。
【図面の簡単な説明】
【００２０】
【図１】プロジェクタからスクリーンに照射して表示を行う時の構成を示す図。
【図２】本発明の実施の形態に関わるプロジェクタ本体の底面を示す図。
【図３】本発明の実施の形態に関わるキャスターの構成例（固定時）を示す図。
【図４】本発明の実施の形態に関わるキャスターの構成例（可動時）を示す図。
【符号の説明】
【００２１】
１・・・プロジェクタ本体
２・・・投影レンズ
３・・・スクリーン
４・・・キャスター
１１・・・プロジェクタ底面
４１・・・支持部材
４２・・・支持部材の押さえ部
４３・・・アーム
４４・・・車輪
４５・・・ストッパー
４６・・・弾性部材
【図１】
2008250243.tif 000003
【図２】
2008250243.tif 000004
【図３】
2008250243.tif 000005
【図４】
2008250243.tif 000006